(57)【要約】      （修正有）【課題】組み立てることによって立体広告となる立体広告用シートを提供する。【解決手段】本考案は、組み立てることによって立体広告となる立体広告用シート１である。この立体広告用シート１は、立体形状となる立体形状領域１１と、前記立体形状領域を挟むように形成された二つの第１切込部２１と、それぞれの第１切込部をシートの側辺に開放するように形成された二つの第２切込部２２と、前記立体形状領域、前記第１切込部、第２切込部及び前記側辺によって囲まれた二つの平面領域と、を備える。【選択図】図１
0003154882.tif 000002
【実用新案登録請求の範囲】
【請求項１】
組み立てることによって立体広告となる立体広告用シートであって、
立体形状となる立体形状領域と、
前記立体形状領域を挟むように形成された二つの第１切込部と、
それぞれの第１切込部をシートの側辺に開放するように形成された二つの第２切込部と、
前記立体形状領域、前記第１切込部、第２切込部及び前記側辺によって囲まれた二つの平面領域と、
を備えた立体広告用シート。
【請求項２】
請求項１に記載の立体広告用シートであって、
前記二つの平面領域の一方に形成された第１係合部と、前記二つの平面領域の他方に形成された第２係合部とが、前記第２切込部を挟むように設けられており、
組み立て時に前記第１係合部と前記第２係合部とが係合することによって、前記二つの平面領域が引き寄せられた状態で固定される
ことを特徴とする立体広告用シート。
【請求項３】
請求項１又は請求項２に記載の立体広告用シートであって、
固定部と連結部とを有する揺動部が、前記二つの平面領域の一方に設けられ、
前記連結部は、前記固定部がセットされる部材に対し、組立後の前記立体形状領域を揺動させる
ことを特徴とする立体広告用シート。
【請求項４】
請求項１に記載の立体広告用シートであって、
前記二つの平面領域の一方に隣接し、前記立体形状の外周に相当する窓を有する表面領域と、
前記表面領域と隣接し、前記立体形状の裏側を覆うための裏面領域と
を更に有することを特徴とする立体広告用シート。
【考案の詳細な説明】
【技術分野】
【０００１】
本考案は、立体広告用シートに関する。
【背景技術】
【０００２】
従来、プラスチック製の立体広告物や、塩化ビニル製の立体広告物が知られている（例えば、特許文献１参照）。
【先行技術文献】
【特許文献】
【０００３】
【特許文献１】実公昭５１−２２６３６号公報
【考案の概要】
【考案が解決しようとする課題】
【０００４】
プラスチック製の立体広告物の場合、嵩張るため、搬送に手間取ることが考えられる。また、塩化ビニル製の立体広告物の場合、空気を充填する必要があるため空気栓が必要となり、少なくとも空気栓の厚み分は嵩張るため、搬送に手間取ることが考えられる。
【０００５】
本考案は、組み立てることによって立体広告となる立体広告用シートを提供することを目的とする。
【課題を解決するための手段】
【０００６】
上記課題を解決するための本考案は、組み立てることによって立体広告となる立体広告用シートであって、立体形状となる立体形状領域と、前記立体形状領域を挟むように形成された二つの第１切込部と、それぞれの第１切込部をシートの側辺に開放するように形成された二つの第２切込部と、前記立体形状領域、前記第１切込部、第２切込部及び前記側辺によって囲まれた二つの平面領域と、を備えた立体広告用シートである。
【０００７】
本考案の他の特徴については、本明細書及び添付図面の記載により明らかにする。
【考案の効果】
【０００８】
本考案によれば、組み立てることによって立体広告となる立体広告用シートを提供することができる。
【図面の簡単な説明】
【０００９】
【図１】図１Ａ及び図１Ｂは、本実施形態の立体広告用シートの基本的構造を説明するための説明図である。図１Ａは組み立て前の立体広告用シートの説明図であり、図１Ｂは組み立て後の立体広告用シートの説明図である。
【図２】図２Ａは、輪郭用切込部を設けた立体広告用シートの組み立て前の説明図である。図２Ｂは、組み立て後の立体広告用シートの説明図である。
【図３】図３Ａは、補助用折れ線を設けた立体広告用シートの組み立て前の説明図である。図３Ｂは、組み立て後の立体広告用シートの説明図である。
【図４】図４Ａは、第２切込部２２の形状の説明図である。図４Ｂは、第２切込部２２の別の形状の説明図である。図４Ｃは、第１係合部３１及び第２係合部３２の別の形状の説明図である。
【図５】図５Ａは、第１切込部２１及び第２切込部２２の説明図である。図５Ｂは、第１切込部２１及び第２切込部２２の別の形状の説明図である。図５Ｃは、第１切込部２１及び第２切込部２２の更に別の形状の説明図である。
【図６】図６Ａは、立体形状領域１１の側面を塞ぐため第１切込部２１の形状を変えたときの説明図である。図６Ｂは、組み立て途中の様子の説明図である。
【図７Ａ】図７Ａは、魚の立体広告用シートの説明図である。
【図７Ｂ】図７Ｂは、図７Ａの切込部及び折れ線の説明のため、魚の絵柄を消去した図である。
【図７Ｃ】図７Ｃは、組み立て後の魚の立体広告用シートの斜視図である。
【図８Ａ】図８Ａは、ペットボトルの立体広告用シートの説明図である。
【図８Ｂ】図８Ｂは、図８Ａの切込部及び折れ線の説明のため、ペットボトルの図柄を消去した図である。
【図８Ｃ】図８Ｃは、組み立て後のペットボトルの立体広告用シートの斜視図である。
【図９Ａ】図９Ａは、箱形の立体広告用シートの説明図である。
【図９Ｂ】図９Ｂは、箱形の立体広告用シートの組み立て時の様子の説明図である。
【考案を実施するための形態】
【００１０】
＝＝＝概要＝＝＝
本明細書及び添付図面の記載により、以下の事項が明らかとなる。
【００１１】
組み立てることによって立体広告となる立体広告用シートであって、立体形状となる立体形状領域と、前記立体形状領域を挟むように形成された二つの第１切込部と、それぞれの第１切込部をシートの側辺に開放するように形成された二つの第２切込部と、前記立体形状領域、前記第１切込部、第２切込部及び前記側辺によって囲まれた二つの平面領域と、を備えた立体広告用シートが明らかになる。  
このような立体広告用シートによれば、嵩張らずに搬送が容易であり、組み立てることによって立体広告となる立体広告用シートを提供することができる。
【００１２】
前記二つの平面領域の一方に形成された第１係合部と、前記二つの平面領域の他方に形成された第２係合部とが、前記第２切込部を挟むように設けられており、組み立て時に前記第１係合部と前記第２係合部とが係合することによって、前記二つの平面領域が引き寄せられた状態で固定されることが望ましい。これにより、組立後の立体形状を維持することができる。
【００１３】
固定部と連結部とを有する揺動部が、前記二つの平面領域の一方に設けられ、前記連結部は、前記固定部がセットされる部材に対し、組立後の前記立体形状領域を揺動させることが望ましい。これにより、揺動する立体広告（スイングＰＯＰ）を提供することができる。
【００１４】
前記二つの平面領域の一方に隣接し、前記立体形状の外周に相当する窓を有する表面領域と、前記表面領域と隣接し、前記立体形状の裏側を覆うための裏面領域とを更に有することが望ましい。これにより、立体形状内に収容スペースを設けることができる。
【００１５】
＝＝＝立体広告用シート＝＝＝
＜基本的な構造＞
図１Ａ及び図１Ｂは、本実施形態の立体広告用シートの基本的構造を説明するための説明図である。図１Ａは組み立て前の立体広告用シートの説明図であり、図１Ｂは組み立て後の立体広告用シートの説明図である。
【００１６】
まず、図１Ａを用いて、本実施形態の立体広告用シートの構成について説明する。
【００１７】
立体広告用シート１は、立体形状領域１１と、二つの第１切込部２１と、二つの第２切込部２２とを有する紙製のシートである。図中のハッチングを施した領域が立体形状領域１１である。立体形状領域１１は、組み立て後に立体形状になる領域である。二つの第１切込部２１は、立体形状領域１１を挟むように形成された切れ込みである。各第２切込部２２は、それぞれの第１切込部２１をシートの側辺に開放するように形成された切れ込みである。
【００１８】
第１切込部２１の端部同士を結ぶように外形用折れ線１４が形成されている。言い換えると、立体形状領域１１を挟むように二つの外形用折れ線１４が形成されている。図中では、外形用折れ線１４を点線で示している。立体形状領域１１を凸状にする場合には、外形用折れ線１４が谷線となるように加工されている。一方、立体形状領域１１を凹状にする場合には、外形用折れ線１４が山線となるように加工されている。
【００１９】
立体形状領域１１は、二つの第１切込部２１と、二つの外形用折れ線１４によって囲まれている。立体形状領域１１は、二つの第１切込部２１の側では拘束されていないが、二つの外形用折れ線１４の側では拘束されている。このため、組み立て時に、立体形状領域１１は、外形用折れ線１４の側では変形が制限された状態になるが、第１切込部２１の側の変形が制限されない状態になる。
【００２０】
立体広告用シート１は、立体形状領域１１以外の領域として、第１平面領域１２と、第２平面領域１３とを有する。第１平面領域１２及び第２平面領域１３は、外形用折れ線１４（つまり立体形状領域１１の外形線）、第１切込部２１、第２切込部２２及びシートの側辺によって囲まれた領域である。第２切込部２２の周辺において、第１平面領域１２の一部と第２平面領域１３の一部が対向している。
【００２１】
第２切込部２２を挟むように、第１平面領域１２に第１係合部３１が設けられ、第２平面領域１３に第２係合部３２が設けられている。ここでは、第１係合部３１はスリット状の穴であり、第２係合部３２はスリット状の穴に差し込めるように突出した形状の突出部になっている。第２係合部３２の横幅は第１係合部３１のスリット状の穴の横幅よりも若干広くなっている。
【００２２】
ここでは、説明を容易にするため、立体形状領域１１にはハッチングしか描かれていないが、実際の立体形状領域１１には広告用の絵柄が描かれている（後述）。
【００２３】
＜組み立て時の様子＞
次に、立体広告用シート１の組み立て時の様子について説明する。
【００２４】
組立作業者は、第１係合部３１と第２係合部３２を互いに引き寄せ、互いに係合させる。具体的には、組立作業者は、第２係合部３２の突出部を第１係合部３１のスリット状の穴に差し込むことによって、第１係合部３１と第２係合部３２とを係合させる。このとき、第１平面領域１２と第２平面領域１３が互いに引き寄せられ、二つの外形用折れ線１４も互いに引き寄せられる。
【００２５】
立体形状領域１１では、外形用折れ線１４の側の変形は制限されるが第１切込部２１の側の変形は制限されないため、第１係合部３１と第２係合部３２を互いに係合させると、立体形状領域１１は、二つの第２切込部２２を結ぶ線と平行な方向（図１Ａでは上下方向）を母線とするような円筒形状に撓み変形する。なお、外形用折れ線１４が予め加工されているため、第１係合部３１と第２係合部３２を互いに係合させたとき、立体形状領域１１は設計通りに変形する。これにより、図１Ａでは平面状だった立体形状領域１１が、組み立て後には立体形状になる。
【００２６】
第２係合部３２の横幅は第１係合部３１のスリット状の穴の横幅よりも若干広くなっているので、組みたて後には、第１係合部３１と第２係合部３２は係合状態で固定できる。これにより、立体広告用シート１は、立体形状領域１１を立体形状に維持したまま、その形状を安定にできる。
【００２７】
本実施形態の立体広告用シートは、組み立て前は平面状なので、嵩張らないため、搬送が容易である。また、本実施形態の立体広告用シートは、簡単な作業で立体形状を組み立てることができるので、立体広告を展示する現場での組み立て作業が容易である。
【００２８】
＜変形例１＞
上記の説明では、一方の第１切込部２１の端部と、他方の第１切込部２１の端部との間に、外形用折れ線１４だけが形成されていた。しかし、第１切込部２１の端部同士の間に、外形用折れ線１４だけでなく、立体形状の輪郭を形成するための輪郭用切込部２３を形成しても良い。
【００２９】
図２Ａは、輪郭用切込部を設けた立体広告用シートの組み立て前の説明図である。図２Ｂは、組み立て後の立体広告用シートの説明図である。
【００３０】
図に示すように、右側の外形用折れ線１４の途中に輪郭用切込部２３が形成されている。つまり、一方の第１切込部２１の端部と、他方の第１切込部２１の端部は、途中で輪郭用切込部２３を介して外形用折れ線１４で結ばれている。これにより、立体形状領域１１は、第１切込部２１及び外形用折れ線１４だけでなく、輪郭用切込部２３によって囲まれる。立体形状領域１１は、輪郭用切込部２３の側では拘束されていない。このため、組み立て時に、立体形状領域１１の輪郭用切込部２３の側は、第１平面領域１２（又は第２平面領域１３）と分離される。このように、輪郭用切込部２３を設けることによって、立体形状の輪郭を複雑な形状にすることができる。
【００３１】
また、図２Ａ及び図２Ｂでは、輪郭用切込部２３の端部同士の間に折れ線１５を設けている。これにより、この外形用折れ線１４と輪郭用切込部２３とによって囲まれた突出領域１６が、組み立て後に、円筒形状に変形した立体形状領域１１から突出するようになる。このように、輪郭用切込部２３の端部同士の間に外形用折れ線１４を設けることによって、立体形状の輪郭を更に複雑な形状にすることができる。
【００３２】
なお、ここでは輪郭用切込部２３が外形用折れ線１４の途中に形成されていたが、外形用折れ線１４の途中ではなく立体形状領域１１の内側に輪郭用切込部２３を形成することも可能である。このような場合においても、輪郭用切込部２３に囲まれた突出領域を、組み立て後に円筒形状に変形した領域から突出させることができるようになる。
【００３３】
＜変形例２＞
上記の説明では、立体形状領域１１は、円筒形状に変形していた。しかし、立体形状領域１１の内側に補助用折れ線を形成することによって、立体形状領域１１が角柱形状に変形するようにしても良い。
【００３４】
図３Ａは、補助用折れ線を設けた立体広告用シートの組み立て前の説明図である。図３Ｂは、組み立て後の立体広告用シートの説明図である。
【００３５】
図に示すように、立体形状領域１１を挟む二つの外形用折れ線１４の間に、更に二つの補助用折れ線１７が形成されている。二つの補助用折れ線１７は、それぞれ、二つの第１切込部２１の間に設けられている。ここでは、補助用折れ線１７が外形用折れ線１４と平行であるが、必ずしも平行でなくて良い。
【００３６】
このように、補助用折れ線１７を設けることによって、立体形状領域１１を角柱形状に変形させることができる。
【００３７】
＜変形例３＞
図４Ａは、既に説明した第２切込部２２の形状の説明図である。第２切込部２２の形状は、このような形状でなくても良い。
【００３８】
図４Ｂは、第２切込部２２の別の形状の説明図である。このような形状であっても、第１係合部３１をスリット状の穴にし、第２係合部３２をスリット状の穴に差し込めるように突出した形状の突出部にすることができる。
【００３９】
また、上記の説明では、第２切込部２２によって係合部が形成されているが、これに限られるものではない。
【００４０】
図４Ｃは、第１係合部３１及び第２係合部３２の別の形状の説明図である。ここでは、第１平面領域１２及び第２平面領域１３に互い違いに切れ目を形成することによって、第２切込部２２を挟むように第１係合部３１及び第２係合部３２を形成している。このような第１係合部３１及び第２係合部３２の形状であっても、組み立て時に第１係合部３１と第２係合部３２を互いに引き寄せて係合させることになるので、立体形状領域１１を変形させることができる。また、このような第１係合部３１及び第２係合部３２の形状であっても、組みたて後に第１係合部３１と第２係合部３２の係合状態を維持できる。
【００４１】
なお、第２切込部２２の形状や、第１係合部３１及び第２係合部３２の形状は、上記で説明したものに限られるものではない。要するに、組み立て時に第１平面領域１２と第２平面領域１３とが引き寄せられ、組み立て後にその状態を維持できればよい。
【００４２】
また、組み立て後に第１平面領域１２と第２平面領域１３とを引き寄せた状態を維持できるのであれば、立体広告用シート１に係合部を設けなくても良い。
【００４３】
＜変形例４＞
図５Ａは、既に説明した第１切込部２１及び第２切込部２２の説明図である。このように、上記の説明では、第１切込部２１及び第２切込部２２によってＴ字形状の切り込みが形成されていた。しかし、Ｔ字形状にしなくても良い。
【００４４】
図５Ｂは、第１切込部２１及び第２切込部２２の別の形状の説明図である。このように、第１切込部２１及び第２切込部２２によってＹ字形状の切り込みが形成されても良い。言い換えると、第１切込部２１の形状は、必ずしも直線形状でなくても良い。
【００４５】
図５Ｃは、第１切込部２１及び第２切込部２２の更に別の形状の説明図である。このように、第１切込部２１及び第２切込部２２によってＬ字形状の切り込みが形成されても良い。言い換えると、第２切込部２２は、第１切込部２１の端部から第１切込部２１をシートの側辺に開放しても良い。
【００４６】
＜変形例５＞
上記の立体広告用シートでは、組み立て後に、立体形状領域１１の側面が空いている。しかし、立体形状領域１１の側面形状を決定する第１切込部２１の形状を変えれば、立体形状領域１１の側面を塞ぐことが可能である。
【００４７】
図６Ａは、立体形状領域１１の側面を塞ぐため第１切込部２１の形状を変えたときの説明図である。図６Ｂは、組み立て途中の様子の説明図である。
【００４８】
立体形状領域１１がシートの側辺側に突出する形状になるように、第１切込部２１を凹状に形成する。ここでは、立体形状領域１１において突出した領域を蓋領域１８と呼ぶ。図中では、蓋領域１８をハッチングで示している。立体形状領域１１には、蓋領域１８を立体形状領域１１に対して折れ曲げられるようにするため、蓋用折れ線１９も形成される。
【００４９】
組み立て時に、立体形状領域１１を凸状にする場合には、蓋用折れ線１９を山折りにする。これにより、凸状に盛り上がった立体形状領域１１の側面を蓋領域１８で塞ぐことができる。
【００５０】
なお、図６Ｂに示すように、蓋領域１８の余剰領域（図６Ａでハッチングされた領域の下側の領域）を第２切込部２２に向かって折り返せば、組み立て後に蓋領域１８を開かないようにできる。但し、蓋領域１８に余剰領域を設けなくても良い。
【００５１】
＝＝＝第１実施例＝＝＝
次に、立体広告用シートの具体例を紹介する。
【００５２】
図７Ａは、魚の立体広告用シートの説明図である。図７Ｂは、図７Ａの切込部及び折れ線の説明のため、魚の絵柄を消去した図である。図７Ｃは、組み立て後の魚の立体広告用シートの斜視図である。
【００５３】
図７Ｂでは、既に説明した構成要素に相当する部位には、その構成要素と同じ符号を付している。また、同図では、切込部を太線で示し、折れ線を細線で示し、補助折り線を点線で示している。
【００５４】
立体形状領域１１には、魚の絵柄か描かれている。魚の頭部と尾びれに沿って、第１切込部２１が形成されている。また、第１切込部２１をシートの側辺に開放するように、第２切込部２２がそれぞれ形成されている。
【００５５】
魚の腹側と背側には外形用折れ線１４が形成されている。また、魚の腹側には、胸びれと尻びれに沿って、輪郭用切込部２３がそれぞれ形成されている。また、魚の背側には、二つの背びれに沿って、輪郭用切込部２３がそれぞれ形成されている。そして、魚の頭部及び尾びれに設けられた二つの第１切込部２１は、それぞれ、輪郭用切込部２３を介して外形用折れ線１４で結ばれている。
【００５６】
立体形状領域１１の内側には、魚の胸びれに沿って、輪郭用切込部２３が形成されている。また、立体形状領域１１の内側には、魚の頭部及び尾びれに設けられた二つの第１切込部２１の間に、魚の流線形状に沿うように、補助用折れ線が複数形成されている。
【００５７】
組立作業者が第２係合部３２の突出部を第１係合部３１のスリット状の穴に差し込むと、第１平面領域１２と第２平面領域１３とが互いに引き寄せられ、立体形状領域１１が変形する。これにより、魚の立体形状を備えた立体広告が完成する。
【００５８】
ここで紹介した立体広告用シート１は、主に、スーパーの鮮魚販売コーナーで用いられる。このため、第１平面領域１２や第２平面領域１３に、「大安売り」や「築地直送」などの宣伝文句も印刷すると良い。
【００５９】
＝＝＝第２実施例＝＝＝
図８Ａは、ペットボトルの立体広告用シートの説明図である。図８Ｂは、図８Ａの切込部及び折れ線の説明のため、ペットボトルの図柄を消去した図である。図８Ｃは、組み立て後のペットボトルの立体広告用シートの斜視図である。
【００６０】
図８Ｂでは、既に説明した構成要素に相当する部位には、その構成要素と同じ符号を付している。また、同図では、第１切込部２１を太線で示し、外形用折れ線１４を細線で示し、補助折り線１７を点線で示している。
【００６１】
この立体広告用シート１には、揺動部４１が設けられている。ここでは、既に説明した構成要素については説明を省略し、主に揺動部４１について説明する。
【００６２】
揺動部４１は、Ｔ字形状のシート部材であり、第１平面領域１２と一体的に形成されている。この揺動部４１は、固定部４２と、連結部４３とを有する。連結部４３は、固定部４２と第１平面領域とを連結する。
【００６３】
この立体広告用シート１は、例えば、スーパーやコンビニエンスストアのペットボトル販売コーナーで用いられる。ペットボトルの陳列棚には、ペッドボトルの値札を入れるための値札用レール（プライスレール）が設けられている。そして、陳列棚の値札用レールに図８Ｃのような状態で固定部４２がセットされると、立体形状のペットボトルが揺動する立体広告（スイングＰＯＰ）になる。
【００６４】
なお、第１平面領域１２や第２平面領域には、ペットボトルの宣伝文句や値段などを印刷する良い。
【００６５】
＝＝＝第３実施例＝＝＝
図９Ａは、箱形の立体広告用シートの説明図である。
【００６６】
図９Ａでは、既に説明した構成要素に相当する部位には、その構成要素と同じ符号を付している。また、同図では、第１切込部２１及び第２切込部２２を太線で示し、外形用折れ線１４と補助折れ線１７と蓋用折れ線１９を点線で示している。なお、蓋領域１８には余剰領域が設けられており、この実施例においても図６Ｂのように余剰領域を折り返すため、その折れ線も点線で示している。
【００６７】
この立体広告用シート１には、表面領域５及び裏面領域６が設けられている。
【００６８】
表面領域５は、第１平面領域１２と一体的に隣接している。表面領域５には、窓５１が設けられている。窓５１の大きさは、組み立て後の立体形状領域１１の外周に相当する。表面領域５と第１平面領域との間には、第１折れ線５２が形成されている。第１折れ線５２の途中には、差込口５３が形成されている。
【００６９】
裏面領域６は、表面領域５と一体的に隣接している。裏面領域６には、舌部６１が設けられている。舌部６１は、組み立て時に差込口５３に差し込まれることになる。裏面領域６と表面領域５との間には、第２折れ線６２が形成されている。
【００７０】
この立体広告用シートには、第１係合部３１や第２係合部３２の係合部（図１参照）は設けられていない。但し、後で説明するように、組み立て後に第１平面領域１２と第２平面領域１３とを引き寄せた状態で維持可能である。
【００７１】
図９Ｂは、箱形の立体広告用シートの組み立て時の様子の説明図である。
【００７２】
まず、組立作業者は、立体形状領域１１を組み立てる（図中の丸２参照）。ここでは、立体形状領域１１は箱形に組み立てられる。箱形に組み立てられた立体形状領域１１の側面は、蓋領域１８によって塞がれている。
【００７３】
次に、組立作業者は、第１折れ線５２を折り、箱形に組み立てられた立体形状領域１１を窓５１に嵌める（図中の丸３、４参照）。窓５１が箱形の立体形状領域１１の根元を四方から囲んでいるため、この時点で組立作業者が立体広告用シート１から手を離したとしても、立体形状領域１１の立体形状は崩れない。
【００７４】
次に、組立作業者は、第２折れ線６２を折り、立体形状領域１１の裏側を裏面領域６で覆う（図中の丸５、６参照）。このとき、第２折れ線６２が第２平面領域１３の側辺の動きを規制することになるため、第１平面領域１２と第２平面領域１３が引き寄せられた状態で維持される。
【００７５】
次に、組立作業者は、舌部６１を差込口５３に差し込む（図中の丸７参照）。これにより、裏面領域６が立体形状領域１１の裏側を覆った状態で固定できる。以上の組立作業によって、立体広告用シート１から立体広告体が完成する（図中の丸８参照）。
【００７６】
なお、この立体広告用シートでは、組立後の箱形の立体形状領域１１の内側に、商品（例えば、菓子箱やタバコ箱など）を収容できる。この場合には、立体形状領域１１を組み立てて立体形状領域１１を窓５１に嵌めた後（図中の丸４の段階）、立体形状領域１１の内側に商品を入れてから、立体形状領域１１の裏側を裏面領域６で覆う（図中の丸５の段階）。このように、この立体広告用シートは、商品を包装するための包装用シートにもなる。
【００７７】
この立体広告用シート１は、例えば、スーパーやコンビニエンスストアなどで疑似商品陳列に用いられる。つまり、実際の商品を入れずに立体広告体を疑似商品として陳列しておき、購入者は、この疑似商品を手にしてレジへ行き、代金と引き替えに実物の商品を受け取るのである。
【００７８】
また、この立体広告用シート１に商品を包装した状態で組み立てれば、人の目を引く立体広告として機能するので、試供品の配布などに向いている。
【００７９】
なお、表面領域には、商品の宣伝文句を印刷すると良い。また、裏面領域には、例えば商品の説明などを印刷すると良い。
【符号の説明】
【００８０】
１  立体広告用シート、５  表面領域、６  裏面領域、
１１  立体形状領域、１２  第１平面領域、１３  第２平面領域、
１４  外形用折れ線、１５  折れ線、１６  突出領域、１７  補助用折れ線、
１８  蓋領域、１９  蓋用折れ線、
２１  第１切込部、２２  第２切込部、２３  輪郭用切込部、
３１  第１係合部、３２  第２係合部、
４１  揺動部材、４２  固定部、４３  連結部、
５１  窓、５２  第１折れ線、５３  差込口、６１  舌部
【図１】
0003154882.tif 000003
【図２】
0003154882.tif 000004
【図３】
0003154882.tif 000005
【図４】
0003154882.tif 000006
【図５】
0003154882.tif 000007
【図６】
0003154882.tif 000008
【図７Ｂ】
0003154882.tif 000009
【図８Ｂ】
0003154882.tif 000010
【図９Ａ】
0003154882.tif 000011
【図９Ｂ】
0003154882.tif 000012
【図７Ａ】
0003154882.tif 000013
【図７Ｃ】
0003154882.tif 000014
【図８Ａ】
0003154882.tif 000015
【図８Ｃ】
0003154882.tif 000016